(57)【要約】【課題】螺合方式やピン差込み方式ではなく、嵌め込み係着方式の錠前用シリンダユニットの取付け構造を提案すること。【解決手段】錠ケース３Ａの一側壁１１に設けた螺合孔１２に筒状の取付けコネクター１３を螺着し、この取付けコネクターにシリンダ錠５Ａを含むシリンダユニット４Ａを、該シリンダユニットの構成部材に設けられ、かつ前記シリンダ錠の外筒５ａを基準として周方向に所定間隔を有して存在する複数個の係合爪片３２を介して係着したことを特徴とする錠前用シリンダユニットの取付け構造。【選択図】図１
2009001977.tif 000002
【特許請求の範囲】
【請求項１】
錠ケースの一側壁に設けた螺合孔に筒状の取付けコネクターを螺着し、この取付けコネクターにシリンダ錠を含むシリンダユニットを、該シリンダユニットの構成部材に設けられ、かつ前記シリンダ錠の外筒を基準として周方向に所定間隔を有して存在する複数個の係合爪片を介して係着したことを特徴とする錠前用シリンダユニットの取付け構造。
【請求項２】
請求項１に於いて、取付けコネクターは、一端部側の筒状部と、この筒状部に連設する他端部側の螺合部とから成り、前記筒状部には、複数個の係合爪片がそれぞれ係合する鉤状の案内切欠溝が形成されていることを特徴とする錠前用シリンダユニットの取付け構造。
【請求項３】
請求項１に於いて、シリンダユニットの構成部材は、少なくともシリンダ錠と、このシリンダ錠に外嵌合する筒状ハウジングと、このハウジングに外嵌合する筒状係合体と、さらに、前記ハウジングの外側に装着された筒状化粧カバーとから成り、複数個の係合爪片は、前記筒状係合体の外周からそれぞれ突出していることを特徴とする錠前用シリンダユニットの取付け構造。
【請求項４】
請求項１に於いて、取付けコネクターは、一端部側の筒状部と、この筒状部に連設する他端部側の螺合部とから成り、前記筒状部には、複数個の係合爪片がそれぞれ係合する係合孔としての案内切欠溝が形成され、一方、前記係合爪片はそれぞれ前記案内切欠溝に係合し得るようにバネ部材で常時外方向に付勢された可動片であることを特徴とする錠前用シリンダユニットの取付け構造。
【請求項５】
まず、錠ケース３Ａの螺合孔１２に取付けコネクター（１３、１３Ｂ）の螺合部１３ｂをねじ込み、次に、錠ケース３Ａに取付けコネクターを螺着した後、シリンダ錠５Ａを含むシリンダユニット（４Ａ、４Ｂ）を前記取付けコネクター１３の筒状部１３ａに形成した案内切欠溝（１６、１６Ｂ）に嵌め込み式で係着する錠前用シリンダユニットの取付け方法。
【発明の詳細な説明】
【技術分野】
【０００１】
本発明は、錠前用シリンダユニットの取付け構造及びその取付け方法に関する。
【背景技術】
【０００２】
特許文献１には、軸方向にプラグ嵌挿孔を外周に雄ねじを形成した外筒と、外筒のプラグ嵌挿孔にキーによって回動されるプラグを嵌挿し、外筒の雄ねじに螺合する雌ねじを形成したカラーとを備えた錠前用シリンダ錠が記載されている。この特許文献１の錠前用シリンダ錠の特徴は、外筒に抜け止め部材用の収納穴を形成し、外筒を所定量回して、前記収納穴が下に位置変位すると、抜け止め部材が自重により抜け止め部材収納穴から突出し、該抜け止め部材がカラーに形成した係合部と係合することであるが、図面（例えば図８）には、シリンダ錠の取付け構造も記載されている。
【０００３】
すなわち、図１４を参照にして特許文献１に関するシリンダ錠の取付け構造を簡単に示す。１は扉、２は扉１の自由端部に内装された錠前、３は錠ケース、４はシリンダユニット、５はシリンダユニットを構成するシリンダ錠、６はシリンダユニットを構成するカラー、７は合鍵である。
【０００４】
錠前用シリンダ錠５は、前述したような構成から成り、その外筒のねじ込み端部外周には、錠ケース３の一側壁に形成したメネジ８と螺合するオネジ９が形成されている。
【０００５】
上記構成に於いて、シリンダ錠５を錠ケース３に取り付ける場合には、まず、合鍵７をシリンダの鉤穴に差し込んだままの状態で、外筒のオネジ９を錠ケース３のメネジ８にねじ込む。この時、合鍵７を一方の手で摘み固定しながら、外筒を他方の手で矢印方向（時計方向）に回転すると、シリンダ錠５は錠ケース３のメネジ８に螺着する。次に、カラー６をシリンダ錠５に嵌め込み、前述したように所定量（１８０度）回転させる。
【０００６】
なお、特許文献２の図１、図２及び段落００１２〜００１４には、特許文献１のような螺合方式ではなく、固定ピン方式のシリンダ錠の取付け構造が記載されている。すなわち、特許文献２に記載のシリンダ錠は、該シリンダ錠に外嵌合する固定筒（ハウジング）の挿入端部（後端部）に突出形成した複数個の固定部に錠ケースの外側からピン状の固定棒をそれぞれ差し込むことにより、錠ケースに取付けられる。
【特許文献１】特開２００３−８２８９３号公報
【特許文献２】特開２００５−３０７６８０号公報
【発明の開示】
【発明が解決しようとする課題】
【０００７】
本発明の所期の目的は、螺合方式やピン差込み方式ではなく、嵌め込み係着方式の錠前用シリンダユニットの取付け構造を提案することである。第２の目的は、シリンダ錠を含むシリンダユニットを錠ケースに簡単に取付けることができることである。
【課題を解決するための手段】
【０００８】
本発明の錠前用シリンダユニットの取付け構造は、錠ケースの一側壁に設けた螺合孔に筒状の取付けコネクターを螺着し、この取付けコネクターにシリンダ錠を含むシリンダユニットを、該シリンダユニットの構成部材に設けられ、かつ前記シリンダ錠の外筒を基準として周方向に所定間隔を有して存在する複数個の係合爪片を介して係着したことを特徴とする。
【０００９】
上記構成に於いて、取付けコネクターは、一端部側の筒状部と、この筒状部に連設する他端部側の螺合部とから成り、前記筒状部には、複数個の係合爪片がそれぞれ係合する鉤状の案内切欠溝が形成されていることを特徴とする。また、シリンダユニットの構成部材は、少なくともシリンダ錠と、このシリンダ錠に外嵌合する筒状ハウジングと、このハウジングに外嵌合する筒状係合体と、さらに、前記ハウジングの外側に装着された筒状化粧カバーとから成り、複数個の係合爪片は、前記係合体の外周からそれぞれ突出していることを特徴とする。さらに、取付けコネクターは、一端部側の筒状部と、この筒状部に連設する他端部側の螺合部とから成り、前記筒状部には、複数個の係合爪片がそれぞれ係合する係合小孔が形成され、一方、前記係合爪片はそれぞれ前記係合小孔に係合し得るようにバネ部材で常時外方向に付勢された可動片であることを特徴とする。
【００１０】
また、本発明の錠前用シリンダユニットの取付け方法は、まず、錠ケース３Ａの螺合孔１２に取付けコネクター（１３、１３Ｂ）の螺合部１３ｂをねじ込み、次に、錠ケース３Ａに取付けコネクターを螺着した後、シリンダ錠５Ａを含むシリンダユニット（４Ａ、４Ｂ）を前記取付けコネクター１３の筒状部１３ａに形成した案内切欠溝（１６、１６Ｂ）に嵌め込み式で係着することを特徴とする。
【発明の効果】
【００１１】
（１）嵌め込み係着方式なので、シリンダ錠の外筒が所定量（例えば１８０度）しか回転しない構造の錠前であっても、錠ケースにシリンダ錠を取付けることができる。
（２）シリンダ錠を含むシリンダユニットを錠ケースに簡単に取付けることができる。
【発明を実施するための最良の形態】
【００１２】
以下、図１乃至図１０に示す本発明を実施するための最良の形態（第１実施例）により説明する。
【００１３】
（１）発明の実施の環境
図１は発明の実施の環境を示す概略説明図である。なお、第１実施例を説明するに当たって、図１４に示す実施例と同一又は同様の構成部材には、同一又は同様の符号を付す。したがって、１Ａは扉、２Ａは扉１Ａの自由端部に内装された錠前、３Ａは錠ケース、４Ａはシリンダユニット、５Ａはシリンダユニットを構成するシリンダ錠、６Ａはシリンダユニットを構成する筒状化粧カバー（カラー）、７Ａは合鍵である。
【００１４】
本発明は、錠ケース３Ａの一側壁１１に直接（本実施例）又は図示しない螺合筒を介して設けた螺合孔１２に筒状の取付けコネクター１３を螺着し、この取付けコネクター１３にシリンダ錠５Ａを含むシリンダユニット４Ａを、該シリンダユニット４Ａの構成部材の一つに設けられ、かつ前記シリンダ錠５Ａの外筒５ａを基準として周方向に所定間隔を有して存在する複数個の係合爪片３２を介して係着したことを特徴とする。そして、本実施例では、前記係合爪片３２は、シリンダ錠５Ａと筒状化粧カバー６Ａとの間に介在する筒状係合体３１に設けられている。
【００１５】
なお、図１に於いて、符号１ａは扉１Ａの外壁面、１ｂは外壁面１ａに形成されたシリンダユニット４Ａ用の嵌合孔、１０は錠前２Ａのデッドボルトである。以下、本発明の特定要件について順次説明するが、細部的な事項は図面及びその説明を割愛する。
【００１６】
（２）取付けコネクター１３
図２乃至図４を参照にして取付けコネクター１３の構成を説明する。図２は取付けコネクター１３の正面図、図３は、図２の３−３線断面図、図４は図２の４−４線断面図である。
【００１７】
本実施例の取付けコネクター１３は、一端部側の筒状部１３ａと、この筒状部に連設する他端部側の螺合部（オネジ部）１３ｂとから成り、前記筒状部１３ａには、シリンダユニット４Ａ側の複数個の係合爪片３２がそれぞれ係合する鉤状の案内切欠溝１６が形成されている。なお、ここで「鉤状」とは人差し指を適宜に折り曲げた形状も含む。
【００１８】
しかして、前記案内切欠溝１６は、筒状部１３ａの外側端面（図２では左側端面）に形成された複数個の嵌め込み口１６ａ（図３参照）と、これらの嵌め込み口１６ａにそれぞれ連通し、かつ周方向に所定量（例えば３０度）形成された長孔状の係止溝１６ｂ（図４参照）とから成る。
【００１９】
したがって、案内切欠溝１６は、筒状部１３ａの周方向に所定間隔を有して合計４個形成されている。一つの嵌め込み口１６ａと隣の嵌め込み口１６ａとの角度は本発明の限定要件ではないが、例えば本実施例では合計４個の案内切欠溝１６を設けているので、図３で示すように、９０度の間隔に設定されている。
【００２０】
また、前記螺合部１３ｂは、筒状部１３ａの内側端面（図２では右側端面）から合計２本幅広アーム状に所定量延在している。これらの延在部分１３ｂは、図３及び図４で示すようにそれぞれ弧状に形成され、かつ互いに対向している。なお、螺合部１３ｂは、設計如何によっては筒状であっても良い。
【００２１】
（３）シリンダユニット４Ａの主な構成
図５はシリンダユニット４Ａの概略断面説明図、図６はシリンダユニット４Ａの先端視側からの説明図である。また、図７はシリンダユニット４Ａの要部の説明図、図８は図７の８−８線断面図である。
【００２２】
さて、本実施例のシリンダユニット４Ａの構成部材は、少なくともシリンダ錠５Ａと、このシリンダ錠５Ａに外嵌合する筒状ハウジング２１と、このハウジングに外嵌合する筒状の係合体３１と、さらに、前記ハウジング２１の外側に装着された筒状化粧カバー６Ａとから成る。
【００２３】
本発明の特徴部分は、例えば筒状係合体３１の後端部に、その外周からそれぞれ突出する係合爪片３２を周方向（例えばシリンダ錠や係合体の周方向）に所定間隔（例えば９０度間隔）を有して複数個（例えば４個）設けた点である。これらの係合爪片３２は、図７で示すように係合爪片３２に形成された長尺状の切欠溝３３の後端部に外側から臨むように突出している。
【００２４】
なお、ハウジング２１は、シリンダ錠５Ａの固定筒或はガイド筒に相当し、例えば一端部から他端部に亘ってシリンダ錠５Ａの外筒５ａの突片が入り込む細長い切欠部２２等を有している。
【００２５】
（４）シリンダユニット４Ａの公知事項
図５を参照にして、シリンダユニット４Ａの公知事項に関して説明する。まず、シリンダ錠５Ａは、例えば特許文献１及び特許文献２に記載のように内筒（プラグ）５ｂ、図示しない可動障害子等を有している。またテールピース１７を有し、このテールピース１７には入力軸１８が係合している。
【００２６】
次に、シリンダユニット４Ａは、内筒５ｂの先端部に外嵌合すると共に、ハウジング２１に対して回転自在に外嵌合する先端部側の筒状化粧リング３５を備えている。そして、筒状化粧リング３５と筒状化粧カバー６Ａとの間には、付勢バネ３６が内装されている。
【００２７】
次に、硬質スライド防御板３７は、硬貨（例えば５円玉）形状あるいはドーナツ形状に形成され、筒状化粧リング３５に包まれた状態で内筒５ｂに外嵌合している。このスライド防御板３７は、浸炭焼入れ・焼き戻しが施されている。
【００２８】
（５）取付け方法
まず、図９で示すように、錠ケース３Ａの螺合孔１２に取付けコネクター１３の螺合部１３ｂをねじ込む。次に、錠ケース３Ａに取付けコネクター１３を螺着した後、図１０で示すように、シリンダ錠５Ａを含むシリンダユニット４Ａを前記取付けコネクター１３の筒状部１３ａに嵌め込み式で係着する。
【００２９】
第１実施例では、筒状部１３ａの案内切欠溝１６は嵌め込み口１６ａから鉤状に形成されて、一方、シリンダユニット４Ａの構成部材（例えば筒状係合体３１）に設けられた複数個の係合爪片３２は、筒状係合体３１の外周を切り起こした状態の固定爪なので、例えばシリンダユニット４Ａを所定角度傾けた状態（周方向に所要量回した状態）にして、前記複数個の係合爪片３２がそれぞれ取付けコネクター１３の嵌め込み口１６ａに合うように位置付ける。
【００３０】
そして、複数個の係合爪片３２が嵌め込み口１６ａに合致したならば、シリンダユニット４Ａを若干押し込み、かつ所定角度（例えば一回で操作可能な３０度程度）回転させる。
【００３１】
そうすると、複数個の係合爪片３２は、対応する各案内切欠溝１６の係止溝１６ｂに同時に係合することから、「若干差込み、かつそのまま多少捩じる方式」により、簡単にシリンダユニット４Ａを錠ケース３Ａ側の取付けコネクター１３に嵌合係着させることができる。
【実施例】
【００３２】
この欄では、図１１乃至図１３を参照にして、本発明を実施するための最良の形態（第２実施例）を説明する。なお、本発明の第１実施例と同一部分には同一又は同様の符号を付して重複する説明を省略する。また、第１実施例と主に異なる事項のみを説明する。
【００３３】
第２実施例に於いて、第１実施例と主に異なる事項は、取付けコネクター１３Ｂに対するシリンダユニット４Ｂの係着構造である。この第２実施例の係着構造は、第１実施例よりもシリンダユニット４Ｂを取付けコネクター１３Ｂに簡単に嵌合係着させることができるように、取付けコネクター１３Ｂの案内切欠溝１６Ｂをそれぞれ矩形状の係合孔に形成し、一方、シリンダユニット４Ｂの複数個の係合爪片３２Ｂをテーパー４３及び係止面４４を有する可動片に構成している。
【００３４】
図１３を参照にして、前記係合爪片３２Ｂの構成を説明する。シリンダユニット４Ｂの構成部材の一つである筒状係合体３１Ｂの後端部には、周方向に所定間隔を有して合計４個の切欠状の収容部４０が形成され、これらの収容部４０には、取付けコネクター１３Ｂの案内切欠溝（係合孔）１６Ｂにそれぞれ同時に係合し得るようにバネ部材４１で常時外方向に付勢された可動の係合爪片３２Ｂが組み込まれている。また、収容切欠部４０は、係合爪片３２Ｂの楔状部分３２ａに設けた係合小突起４２を軸支する軸孔４０ａを有している。
【００３５】
この可動係合爪片３２Ｂは、収容部４０から突出する楔状部分３２ａに、取付けコネクター１３Ｂの筒状部分１３ａの外側縁部乃至内壁面に押し付けられた状態で摺接するテーパー４３と、前記外側縁部乃至内壁面を越えた際にバネ部材４１のバネ力により瞬時に突出して取付けコネクター１３Ｂの案内切欠溝（係合孔）１６Ｂに係合する垂直係止面４４がそれぞれ形成されている。
【００３６】
そして、楔状部分３２ａの内端部には、バネ部材４１を支持する杆状のバネ端支持部３２ｂが延在している。
【００３７】
上記構成に於いても、まず、錠ケース３Ａの螺合孔１２に取付けコネクター１３Ｂの螺合部１３ｂをねじ込む（図９を援用）。
【００３８】
次に、錠ケース３Ａに取付けコネクター１３Ｂを螺着した後、図１３で示すように、シリンダ錠５Ｂを含むシリンダユニット４Ｂを前記取付けコネクター１３Ｂの筒状部１３ａに係着する。
【００３９】
付言すると、第２実施例では、筒状部１３ａの案内切欠溝１６Ｂは係合孔であり、一方、シリンダユニット４Ｂの構成部材の一つ、例えば筒状係合体３１Ｂに設けられた複数個の係合爪片３２Ｂは可動片なので、シリンダユニット４Ｂ側の係合爪片３２Ｂが取付けコネクター１３Ｂ側の案内切欠溝１６Ｂに嵌まり合うように位置付けてから、シリンダユニット４Ｂを所定の係合位置まで押し込む。
【００４０】
そうすると、各係合爪片３２Ｂは、その楔状部分３２ａのテーパー４３が取付けコネクター１３Ｂの筒状部分１３ａの外側縁部乃至内壁面に圧接して押し付けられるので、図１３で示すように、「ワンタッチ式の押し込み」により、楔状部分３２ａが案内切欠溝１６Ｂに瞬時に嵌合係着する。
【００４１】
このようにして楔状部分３２ａが案内切欠溝１６Ｂに係合すると、楔状部分３２ａの垂直係止面４４が案内切欠溝１６Ｂの縁部に係合するので、シリンダユニット４Ｂは、各係合爪片３２Ｂが案内切欠溝１６Ｂの縁部に引っかかって外れない。
【００４２】
ところで、本発明の各実施例に於いて、防犯上の目的を加味して、例えば取付けコネクター（１３、１３Ｂ）にシリンダユニット（４Ａ、４Ｂ）を係着した後、錠ケース３Ａの外側から図示しない固定手段を介してシリンダユニット（４Ａ、４Ｂ）を錠ケースにしっかりと固定しても良い。
【００４３】
また、本発明の各実施例のシリンダユニットの構成部材には、複数個の係合爪片（３２、３２Ｂ）を有する筒状の係合体（３１、３１Ｂ）を含むが、係合体（３１、３１Ｂ）の形態を任意に設計変更することができる。例えば筒状の係合体（３１、３１Ｂ）を環状係合体に形成し、この環状係合体の外周に複数個の係合爪片（３２、３２Ｂ）を突出形成しても良い。
【００４４】
筒状の係合体（３１、３１Ｂ）を環状の係合体に形成した場合には、筒状ハウジング３１の後端部に環状係合体を螺着、溶着、固着、カシメ固定等により一体的に固定する。
したがって、設計如何によっては、シリンダユニットの構成部材である筒状ハウジング３１の後端部に、その周方向に所定間隔を有して複数個の係合爪片（３２、３２Ｂ）を突出形成しても良い。
【産業上の利用可能性】
【００４５】
本発明は、主に錠前や建具の業界で利用される。
【図面の簡単な説明】
【００４６】
図１乃至図１０は本発明の第１実施例を示す各説明図。図１１乃至図１３は本発明の第２実施例を示す各説明図である。
【図１】第１実施例の各構成部材をそれぞれ示す概略説明図。
【図２】取付けコネクター１３の正面図。
【図３】図２の３−３線断面図。
【図４】図２の４−４線断面図。
【図５】シリンダユニット４Ａの正面視からの概略断面説明図。
【図６】シリンダユニット４Ａの先端視側（左側面側）からの説明図。
【図７】シリンダユニット４Ａの要部の説明図。
【図８】図７の８−８線断面図。
【図９】錠ケースに対して取付けコネクターを螺着する旨の概略説明図。
【図１０】取付けコネクターにシリンダユニットを係着する旨の概略説明図。
【図１１】第２実施例の主たる部材をそれぞれ示す概略説明図。
【図１２】図１１の１２−１２線断面図。
【図１３】取付けコネクターにシリンダユニットを係着する旨の概略説明図。
【図１４】従来のシリンダ錠の取付け構造及びその取付け方法を示す概略説明図。
【符号の説明】
【００４７】
1Ａ…扉、２…錠前、３…錠ケース、４Ａ、４Ｂ…シリンダユニット、５Ａ…シリンダ錠、５ａ…外筒、５ｂ…内筒、６Ａ…筒状化粧カバー、７Ａ…合鍵、１１…錠ケースの一側壁、１２…螺合孔、１３、１３Ｂ…取付けコネクター、１３ａ…筒状部、１３ｂ…螺合部（オネジ部）、１６、１６Ｂ…案内切欠溝（鉤状案内切欠、係合孔）、１６ａ…嵌め込み口、１６ｂ…係止溝、１７…テールピース、１８…入力軸、２１…ハウジング、２２…切欠部、３１、３１Ｂ…筒状の係合体、３２、３２Ｂ…係合爪片、３２ａ…楔状部分、３２ｂ…バネ端支持部、３３…切欠溝、３５…筒状化粧リング、３６…付勢バネ、３７…硬質スライド防御板、４０…収容部、４０ａ…小案内溝、４１…バネ部材、４２…係合小突起、４３…テーパー、４４…垂直係止面。
【図１】
2009001977.tif 000003
【図２】
2009001977.tif 000004
【図３】
2009001977.tif 000005
【図４】
2009001977.tif 000006
【図５】
2009001977.tif 000007
【図６】
2009001977.tif 000008
【図７】
2009001977.tif 000009
【図８】
2009001977.tif 000010
【図９】
2009001977.tif 000011
【図１０】
2009001977.tif 000012
【図１１】
2009001977.tif 000013
【図１２】
2009001977.tif 000014
【図１３】
2009001977.tif 000015
【図１４】
2009001977.tif 000016